(57)【特許請求の範囲】
【請求項１】
試薬プローブが複数の試薬の分注動作を行うピペッティングタイプの自動分析装置において、
試薬間のキャリーオーバ試験を行うための（キャリーオーバ試験条件）を入力する手段と、
当該（キャリーオーバ試験条件）に基づいて項目選択情報を作成する手段と、
（キャリーオーバ有無の判定条件）を入力する手段と、
当該（キャリーオーバ有無の判定条件）とキャリーオーバ試験結果を比較しキャリーオーバ有無を判定する手段と、
キャリーオーバ有りと判定された場合に回避方法の試験をするための（キャリーオーバ回避方法プロトコル）を設定する手段と、
当該（キャリーオーバ回避方法プロトコル）に基づいてキャリーオーバ有りとされた試薬間の回避方法を自動的に試験する手段と、
キャリーオーバ試験結果を出力する手段と、
を備えたことを特徴とする自動分析装置。
【請求項２】
請求項１に記載の自動分析装置において、
キャリーオーバ試験結果によって得られた、キャリーオーバ回避方法を装置へ登録することを特徴とする自動分析装置。
【請求項３】
請求項１に記載の自動分析装置において、
キャリーオーバ試験に必要なブランク試料として、サンプルプローブ内のシステム水を必要回数のみ分注する機能を備えたことを特徴とする自動分析装置。
【発明の詳細な説明】
【技術分野】
【０００１】
本発明は、臨床検査に供される、生体試料中の特定成分の定性・定量分析を行う自動分析装置に関する。
【背景技術】
【０００２】
患者の血液，尿等の生体試料中に含まれる成分を分析する臨床検査では、試料と試薬を反応させ、反応液の色の変化を吸光度変化として測定し、目的成分の定性・定量分析をする方式が一般的である。
【０００３】
近年、汎用自動分析装置はメンテナンスの効率化とランニングコストの低減を主たる目的として、試薬ピペッティングタイプの装置が広く普及している。この試薬ピペッティングタイプの装置は、機構系部品のメンテナンス作業が非常に少ないことや、測定に必要な試薬量だけを分注するコスト面の利点がある。一方では、試薬プローブが複数の試薬の分注動作を行うために、試薬相互の汚染、つまりキャリーオーバが原理的に発生する可能性を持っている。通常の試薬分注動作においては、試薬間の分注動作に水による洗浄動作を実施することでキャリーオーバを回避している。しかしながら、試薬の組合せによっては、通常の水洗浄動作ではキャリーオーバを回避できない場合も発生する。この通常の水洗浄動作で回避できない試薬の組合せを調べる試験をキャリーオーバ試験と呼ぶ。
【０００４】
汎用自動分析装置に搭載される試薬種類数は、一般に３０項目以上になっており、試薬相互の組合せが多く、キャリーオーバ試験に費やされる労力は無視できなくなっている。このようなキャリーオーバ試験については例えば特許文献１に記載されている。
【０００５】
【特許文献１】特開２００１−２２８１５８号公報
【発明の開示】
【発明が解決しようとする課題】
【０００６】
従来の自動分析装置における試薬プローブのキャリーオーバ試験は、試験者の手により実施されていた。そのキャリーオーバ試験の工程は、大別すると、次の４つの工程に分けられる。
【０００７】
第１に、試験を行う試薬の組合せに応じた項目選択情報を検討し、検討した項目選択情報を登録する工程。  
第２に装置が上記の項目選択情報に基づいて測定を行う工程。  
第３に、装置の測定結果からキャリーオーバの発生している試薬の組合せを判定する工程。  
第４にキャリーオーバが発生している試薬の組合せにおけるキャリーオーバの回避方法の検討を行う工程。この回避方法には、洗剤による洗浄動作の追加の有効性や、水洗浄動作追加の有効性の検証などが挙げられる。
【０００８】
上記の第２の工程は、自動分析装置が実施する工程であるため、試験者の作業を伴わないが、第１の工程，第３の工程，第４の工程は、試験者による作業を伴う。
【０００９】
本発明の目的は、キャリーオーバ試験の工程を自動化することにより、試験者の作業を軽減し、キャリーオーバ試験に要する時間を短縮し、人為ミスを削減することが可能な自動分析装置を提供することである。
【課題を解決するための手段】
【００１０】
上記目的を達成するため、本発明は、臨床検査に用いられる自動分析装置において、
試薬間のキャリーオーバ試験を行うための「キャリーオーバ試験条件」を入力する手段と、
当該「キャリーオーバ試験条件」に基づいて項目選択情報を作成する手段と、
「キャリーオーバ有無の判定条件」を入力する手段と、
当該「キャリーオーバ有無の判定条件」とキャリーオーバ試験結果を比較しキャリーオーバ有無を判定する手段と、
キャリーオーバ有りと判定された場合に回避方法の試験をするための「キャリーオーバ回避方法プロトコル」を設定する手段と、
当該「キャリーオーバ回避方法プロトコル」に基づいてキャリーオーバ有りとされた試薬間の回避方法を自動的に試験する手段と、
キャリーオーバ試験結果を出力する手段を備える。
【発明の効果】
【００１１】
本発明によれば、臨床検査室用の自動分析装置において、試験者の作業を軽減し、キャリーオーバ試験に要する時間を短縮することが可能な自動分析装置を提供することができる。
【発明を実施するための最良の形態】
【００１２】
以下、本発明にかかる実施例を図面に基づいて説明する。
【００１３】
図１は本発明を適用した自動分析装置におけるキャリーオーバ回避条件の確定に必要な処理を示すフロー図である。
【００１４】
図１において、オペレータは、測定条件の設定１と判定条件の設定２とキャリーオーバ回避方法評価プロトコルの設定３を行う。
【００１５】
自動分析装置は前記測定条件の設定１で設定された情報に基づく項目選択情報の作成と登録４を行う。
【００１６】
次に、自動分析装置は、当該項目選択情報の作成と登録４で登録された項目選択情報に基づいて測定の実行５を行う。
【００１７】
ここで、測定の実行５に用いる試料は一般的には、生理食塩水すなわち測定対象物の濃度を持たない試料を用いることが好ましい。
【００１８】
また、生理食塩水を試料としてセットするオペレータの手間を低減するために、自動分析装置の試料分注プローブ内に充填されている水を用いることも可能である。
【００１９】
次に、自動分析装置によって、測定結果の出力６が行われる。
【００２０】
自動分析装置は、当該測定結果を、前記の判定条件の設定２で設定された内容と比較することにより、測定結果の判定７を行う。
【００２１】
当該測定結果の判定７により、キャリーオーバ無し（ＯＫ）と判定された場合には、キャリーオーバ回避の設定を行わない。
【００２２】
一方、当該測定結果の判定７により、キャリーオーバあり（ＮＧ）と判定された場合には、自動分析装置は、前記のキャリーオーバ回避方法評価プロトコルの設定３で設定された情報に基づくキャリーオーバ回避の検討に必要な項目選択情報の作成と登録４を行う。
【００２３】
以後、測定の実行５，測定結果の出力６，測定結果の判定７を順に繰返す。
【００２４】
測定結果の判定７によりキャリーオーバ無し（ＯＫ）とされた条件におけるキャリーオーバ回避条件を自動分析装置に登録し、キャリーオーバ回避条件の確定８に至る。
【００２５】
予め設定された、キャリーオーバ回避方法評価プロトコルの設定３における全ての条件においても、測定結果の判定７がキャリーオーバあり（ＮＧ）である場合には、「キャリーオーバ回避不可能」あるいは、「追加のキャリーオーバ回避条件の検討が必要」とオペレータに知らせる。
【００２６】
図２は本発明を適用した自動分析装置における測定条件の設定画面の一例である。
【００２７】
図２において、オペレータは、測定部位９，試験回数１０，測定項目１１を設定する。
【００２８】
測定部位９については、自動分析装置で発生する試薬に関する測定部位を設定可能とする。
【００２９】
本実施例では、複数の種類の試薬分注動作を同じ試薬プローブ行う場合と、複数の種類の試薬撹拌動作を同じ撹拌機構で行う場合を想定して選択可能としている。
【００３０】
また、反応容器を洗浄により繰返し使用する場合には、測定部位として選択可能とする。
【００３１】
試験回数１０には、キャリーオーバ試験の繰返し回数を設定する。
【００３２】
試験回数１０をオペレータにより任意に回数を設定することが可能でも良い。
【００３３】
測定項目１１では、キャリーオーバ試験を調べる項目を選択する。
【００３４】
すなわち、影響を与える項目と影響を受ける項目をそれぞれ選択する。
【００３５】
本実施例では、ＡＳＴ，ＡＬＴ，ＣＡ，ＬＡＰのそれぞれが与えるＣＨＥ，ＧＬＵ，
ＬＤＨそれぞれへの影響について測定することを意味している。
【００３６】
また、装置に搭載されている全ての項目を一括で選択できる選択方法を備えることも好ましい。
【００３７】
本実施例では、「全項目」と記載のエリアを設けている。
【００３８】
図３は本発明を適用した自動分析装置において、測定条件の設定で使用する測定項目の選択を行う画面の一例である。
【００３９】
図３においては、オペレータは、影響を与える項目と影響を受ける項目を個別に設定が可能になる。
【００４０】
本実施例では、ＡＳＴからＣＨＥへの影響，ＡＬＴからＬＤＨへの影響，ＢＵＮから
ＬＤＨへの影響，ＣＡからＤ−ＢＩＬへの影響，ＣＨＥからＣＡへの影響，Ｄ−ＢＩＬからＣＲＥへの影響およびＨＤＬ−ＣからＣＨＥへの影響を測定する測定項目の選択が可能となっている。
【００４１】
図４は本発明を適用した自動分析装置において、判定条件の設定を行う画面の一例である。
【００４２】
図４においては、オペレータは、影響を受ける項目について、キャリーオーバ有無を判定する値を項目毎に設定が可能となっている。
【００４３】
図５は本発明を適用した自動分析装置において、キャリーオーバ回避方法評価プロトコルを設定する画面の一例である。
【００４４】
図５においては、オペレータは、通常の洗浄動作では影響を除去できない場合、すなわち前記図４においては、判定の結果が「ＮＧ」とされた場合に検討する洗浄方法の内容と検討の優先順位を設定する。
【００４５】
本実施例においては、「水洗浄追加」，「アルカリ洗剤洗浄追加」，「酸性洗剤洗浄追加」、および「アルカリ・酸性洗剤洗浄追加」の４種類の方法から、３つの優先度まで選択が可能である。
【００４６】
図６は本発明を適用した自動分析装置における、項目選択情報の一例である。
【００４７】
図６に示す項目選択情報は、オペレータによって設定された測定条件に基づき、自動分析装置によって自動作成される。
【００４８】
当該自動分析装置による項目選択情報の自動作成の手順は、影響を受けていない状態でのリファレンスデータの測定、影響を与える項目の測定，影響を受ける項目の測定、および設定された試験回数の繰返しによる。
【００４９】
本実施例においては、Sample Ｎo.１〜３において影響を受ける項目としてＣＨＥのリファレンスデータ測定を実施、Sample Ｎo.４において影響を与える項目としてＡＳＴの測定、Sample Ｎo.５においてＡＳＴからＣＨＥへの影響を直後に受けたデータの測定を示している。
【００５０】
これらの項目選択情報の登録作業を従来のオペレータがマニュアルで行う場合には人為的な登録ミスを伴う。
【００５１】
また、測定項目の種類が多ければ多いほどオペレータの作業負担が大きくなる。
【００５２】
本発明により自動で行うことにより人為ミスを無くし、作業の負担も無くすことができる。
【００５３】
図７は本発明を適用した自動分析装置における、測定結果の出力の一例である。
【００５４】
図７においては、自動分析装置が、前述の図６で示した項目選択情報にしたがって測定した場合の測定結果の出力例を示している。
【００５５】
通常は、試料として生理食塩水やブランク液を用いることが多い。
【００５６】
図８は本発明を適用した自動分析装置における、測定結果の判定の一例である。
【００５７】
図８においては、自動分析装置は、前述の図４で示した判定条件の設定と、前述の図７で示した測定結果の出力を比較して、キャリーオーバの有無を判定している。
【００５８】
本実施例では、Sample Ｎo.５のＣＨＥの判定結果は「ＯＫ」である。すなわち、ASTからＣＨＥへのキャリーオーバは発生しないことを意味する。
【００５９】
一方、Sample Ｎo.７５ のＬＤＨの判定結果は「ＮＧ」である。すなわち、ＡＳＴからＬＤＨへのキャリーオーバが発生していることを意味する。
【００６０】
これらの測定結果の判定は、従来のオペレータがマニュアルで行う場合には人為的な判定ミスを伴う。
【００６１】
また、測定項目の種類が多ければ多いほどオペレータの作業負担が大きくなる。
【００６２】
本発明により自動で行うことにより人為ミスを無くし、作業の負担も無くすことができる。
【００６３】
図９は本発明を適用した自動分析装置における、キャリーオーバ回避方法プロトコルにしたがった項目選択情報の一例である。
【００６４】
図９においては、自動分析装置は、前述の図８に示した判定結果において「ＮＧ」と判定した測定に対し、図５の優先度１に設定された内容を反映して、自動的に項目選択情報を作成する。
【００６５】
これらの項目選択情報の登録は、従来のオペレータがマニュアルで行う場合には人為的な判定ミスを伴う。
【００６６】
また、測定項目の種類が多ければ多いほどオペレータの作業負担が大きくなる。
【００６７】
本発明により自動で行うことにより人為ミスを無くし、作業の負担も無くすことができる。
【００６８】
図１０は本発明を適用した自動分析装置における、キャリーオーバ回避方法の測定結果を示す一例である。
【００６９】
図１０においては、自動分析装置が、前述の図９に示したキャリーオーバ回避方法プロトコルにしたがった項目選択情報に基づく測定結果を示している。
【００７０】
図１１は本発明を適用した自動分析装置における、キャリーオーバ回避方法の測定結果に対する判定結果を示す一例である。
【００７１】
図１１において、自動分析装置は、前述の図１０の測定結果と、図４に示した判定条件を比較して自動的に判定する。
【００７２】
本実施例では、Sample Ｎo.１０７ のＬＤＨの判定結果は「ＯＫ」である。すなわち、ＡＳＴからＬＤＨへのキャリーオーバ回避方法としては、「水洗浄追加」が有効であることを意味する。
【００７３】
これらの項目選択情報の登録は、従来のオペレータがマニュアルで行う場合には人為的な判定ミスを伴う。
【００７４】
また、測定項目の種類が多ければ多いほどオペレータの作業負担が大きくなる。
【００７５】
本発明により自動で行うことにより人為ミスを無くし、作業の負担も無くすことができる。
【００７６】
図１２は本発明を適用した自動分析装置における、キャリーオーバ回避方法の登録画面の一例である。
【００７７】
図１２において、自動分析装置は、前述の図１１に示した判定結果で「ＯＫ」と判定されたキャリーオーバの回避方法を自動的に登録する。
【００７８】
これらのキャリーオーバ回避方法の登録作業は、従来のオペレータがマニュアルで行う場合には人為的な作業ミスを伴う。
【００７９】
また、登録する回避方法の数が多ければ多いほどオペレータの作業負担が大きくなる。
【００８０】
本発明により自動で行うことにより人為ミスを無くし、作業の負担も無くすことができる。
【図面の簡単な説明】
【００８１】
【図１】本発明を適用した自動分析装置におけるキャリーオーバ回避条件の確定に必要な処理を示すフロー図。
【図２】本発明を適用した自動分析装置における測定条件の設定画面の一例。
【図３】本発明を適用した自動分析装置において、測定条件の設定で使用する測定項目の選択を行う画面の一例。
【図４】本発明を適用した自動分析装置において、判定条件の設定を行う画面の一例。
【図５】本発明を適用した自動分析装置において、キャリーオーバ回避方法評価プロトコルを設定する画面の一例。
【図６】本発明を適用した自動分析装置における、項目選択情報の一例。
【図７】本発明を適用した自動分析装置における、測定結果の出力の一例。
【図８】本発明を適用した自動分析装置における、測定結果の判定の一例。
【図９】本発明を適用した自動分析装置における、キャリーオーバ回避方法プロトコルにしたがった項目選択情報の一例。
【図１０】本発明を適用した自動分析装置における、キャリーオーバ回避方法の測定結果を示す一例。
【図１１】本発明を適用した自動分析装置における、キャリーオーバ回避方法の測定結果に対する判定結果を示す一例。
【図１２】本発明を適用した自動分析装置における、キャリーオーバ回避方法の登録画面の一例。
【符号の説明】
【００８２】
１，２…判定条件の設定、３…キャリーオーバ回避方法評価プロトコルの設定、４…項目選択情報の作成と登録、５…測定の実行、６…測定結果の出力、７…測定結果の判定、８…キャリーオーバ回避条件の確定、９…測定部位、１０…試験回数、１１…測定項目。
【図１】
0004597078.tif 000002
【図２】
0004597078.tif 000003
【図３】
0004597078.tif 000004
【図４】
0004597078.tif 000005
【図５】
0004597078.tif 000006
【図６】
0004597078.tif 000007
【図７】
0004597078.tif 000008
【図８】
0004597078.tif 000009
【図９】
0004597078.tif 000010
【図１０】
0004597078.tif 000011
【図１１】
0004597078.tif 000012
【図１２】
0004597078.tif 000013